(57)【要約】  【課題】冷蔵室のドア開閉が増加する夏場においても、冷凍室の能力を確保でき、更に野菜室の湿度に保ち、野菜室に貯蔵する食品の保鮮性を向上する冷蔵庫を提供する。  【解決手段】第１の冷却器２９で冷蔵スライド室２１及び冷蔵室２３を冷却し、第２の冷却器３２で冷蔵スライド室２１及び冷蔵室２３以外の製氷室２０及び冷凍スライド室２２及び冷凍室２５を冷却し、製氷室用戻り風路３３ｃを通過する製氷室２０を冷却した冷気で野菜室２９を冷却しているので、夏場に冷蔵室２３のドア開閉が増え冷蔵室２３に暖湿気が流入しても冷凍室２５を冷却する第２の冷却器３２は全く影響を受けず、冷凍室２５の冷凍能力を十分確保することができ、また、冷却効率を向上し、野菜室２９の湿度の低下を抑え、野菜の保鮮性を向上させることが可能となる。【選択図】図２
2006242465.tif 000002
【特許請求の範囲】
【請求項１】
冷蔵庫本体と、この本体の上下方向の全高で左右に分断された左区画の上部に冷蔵食品等を貯蔵する扉が引出し扉で構成された冷蔵スライド室と、前記冷蔵庫本体の左区画の下部に設けられた扉が引出し扉で構成された冷凍スライド室と、前記冷蔵スライド室と前記冷凍スライド室の間に設けられた扉が引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記冷蔵室背面に設置した第１の冷却器と、前記第１の冷却器によって冷却された冷気を前記冷蔵スライド室及び前記冷蔵室に導くための吐出風路及び冷蔵スライド室及び冷蔵室を冷却した冷気を第１の冷却器に戻すための戻り風路を設けた冷蔵室用ダクトと、前記冷凍室の奥に設置した第２の冷却器と、前記第２の冷却器によって冷却された冷気を前記製氷室及び前期冷凍スライド室及び前記冷凍室へ導く吐出風路及び前記製氷室及び前記冷凍スライド室及び前記冷凍室を冷却した冷気を第２の冷却器に戻すための戻り風路を設けた冷凍室用ダクトと、前記製氷室における前記冷凍室用ダクトの吐出風路から導かれた冷気の吐出風路口に冷気の吐出量を制御するダンパーを備え、前記第１の冷却器によって冷却される冷気を循環させることによって前記冷蔵スライド室及び前記冷蔵室を冷却し、前記第２の冷却器によって冷却される冷気を循環させることによって前記製氷室及び前記冷凍スライド室及び前記冷凍室を冷却し、前記冷凍室用ダクトを通過する前記製氷室を冷却した冷気によって前記野菜室を冷却することを特徴とする冷蔵庫。
【請求項２】
前記野菜室天面にアルミプレートを設置したことを特徴とする請求項１に記載の冷蔵庫。
【請求項３】
前記野菜室天面に樹脂ダクトを設置したことを特徴とする請求項１に記載の冷蔵庫。
【請求項４】
前記野菜室に設けられた野菜収納ケースの上部に蓋を設置したことを特徴とする請求項１に記載の冷蔵庫。
【請求項５】
前記冷凍室用ダクトに前記第２の冷却器で冷却された冷気を前記野菜室へ導く吐出風路を設けたことを特徴とした請求項１から４のいずれか一項に記載の冷蔵庫。
【発明の詳細な説明】
【技術分野】
【０００１】
本発明は、冷蔵庫の冷却構造に関するものである。
【背景技術】
【０００２】
近年、様々なレイアウトの冷蔵庫が発売されている（例えば、特許文献１参照）。
【０００３】
図９は、特許文献１に記載された従来の冷蔵庫を示すものである。図９に示すように冷蔵庫本体１と、この本体の上部に設けられた冷蔵室２と、冷蔵室の下に設けられた切替室３と、冷蔵室の下で切替室に並列に設けられた製氷室４と、本体下部設けられた冷凍室５と、並列に設置された切替室及び製氷室と冷凍室の間に設けられた野菜室６と、冷気を生成する冷却器７と、冷気を各室に供給するファン装置８とを有し、冷凍室に冷気を供給するための冷凍室用送風路９と、製氷室に冷気を供給するための製氷用送風路１０と、製氷室から冷気を冷却器に戻す製氷室用帰還風路１１と、製氷室用送風路を通る冷気の一部を分流させて、切替室に送る切替室用送風路１２と、切替室から冷気を冷却器に戻すための切替室用帰還風路１３と、切替室用送風路を通る冷気の一部を分流させて、冷蔵室に送る冷蔵室用送風路１４と、冷蔵室に送られた冷気を野菜室に戻すための冷蔵室用帰還風路１５と、野菜室に送ら冷気を冷却器に戻すための野菜室用帰還風路１６から構成される。
【特許文献１】特許第３２１２９５４号公報
【発明の開示】
【発明が解決しようとする課題】
【０００４】
しかしながら上記従来の構成では、一つの冷却器で冷蔵庫本体全体の冷却をカバーせねばならず、特に夏場において冷蔵室の扉開閉が増えた場合、多量の暖湿気が冷却器に戻ることにより冷却器に霜が付着し、冷却器の能力が大幅にダウンし、冷凍室の冷却能力が低下するという課題を有していた。また野菜室に直接冷気を循環させて冷却を行うため、野菜室内の湿度が低下し、野菜室内に貯蔵する野菜等の食品の保鮮性が劣化してしまうという課題を有していた。
【０００５】
本発明は、上記従来の課題を解決するもので、冷蔵室のドア開閉が増加する夏場においても、冷凍室の能力を確保し、さらに野菜室内に貯蔵する野菜等の食品の保鮮性を向上する冷蔵庫を提供することを目的とする。
【課題を解決するための手段】
【０００６】
上記従来の課題を解決するために、本発明の冷蔵庫は、冷蔵庫本体と、この本体の上下方向の全高で左右に分断された左区画の上部に冷蔵食品等を貯蔵する扉が引出し扉で構成された冷蔵スライド室と、前記冷蔵庫本体の左区画の下部に設けられた扉が引出し扉で構成された冷凍スライド室と、前記冷蔵スライド室と前記冷凍スライド室の間に設けられた扉が引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記冷蔵室背面に設置した第１の冷却器と、前記第１の冷却器によって冷却された冷気を前記冷蔵スライド室及び前記冷蔵室に導くための吐出風路及び冷蔵スライド室及び冷蔵室を冷却した冷気を第１の冷却器に戻すための戻り風路を設けた冷蔵室用ダクトと、前記冷凍室の奥に設置した第２の冷却器と、前記第２の冷却器によって冷却された冷気を前記製氷室及び前期冷凍スライド室及び前記冷凍室へ導く吐出風路及び前記製氷室及び前記冷凍スライド室及び前記冷凍室を冷却した冷気を第２の冷却器に戻すための戻り風路を設けた冷凍室用ダクトと、前記製氷室における前記冷凍室用ダクトの吐出風路から導かれた冷気の吐出風路口に冷気の吐出量を制御するダンパーを備え、前記第１の冷却器によって冷却される冷気を循環させることによって前記冷蔵スライド室及び前記冷蔵室を冷却し、前記第２の冷却器によって冷却される冷気を循環させることによって前記製氷室及び前記冷凍スライド室及び前記冷凍室を冷却し、前記冷凍室用ダクトを通過する前記製氷室を冷却した冷気によって前記野菜室を冷却することを特徴したものである。
【０００７】
これによって、第１の冷却器で冷蔵スライド室と冷蔵室を冷却し、第２の冷却器で冷蔵スライド室と冷蔵室以外の製氷室と冷凍スライド室と冷凍室を冷却するようにしたことにより、夏場に冷蔵室のドア開閉が増え、冷蔵室に暖湿気が流入し、第１の冷却器の冷却能力が低下しても、第２の冷却器は全く影響受けないため、冷凍室の冷凍能力を十分確保することができる。また、冷凍室用ダクトを通過する製氷室を冷却した冷気によって野菜室を冷却することで冷却効率を向上することができ、更に製氷室と冷凍室からの熱伝導による野菜室への冷却効果が生じ、野菜室を直接循環する冷気を減少させることができ、野菜室の湿度の低下を抑え、野菜の保鮮性を向上させることができる。
【発明の効果】
【０００８】
本発明の冷蔵庫は第１の冷却器で冷蔵スライド室と冷蔵室を冷却し、第２の冷却器で冷蔵スライド室と冷蔵室以外の製氷室と冷凍スライド室と冷凍室を冷却するようにしたことにより、夏場に冷蔵室のドア開閉が増え冷蔵室に暖湿気が流入しても冷凍室を冷却する第２の冷却器は全く影響を受けないため、冷凍室の冷凍能力を十分確保することができる。また、冷凍室用ダクトを通過する製氷室を冷却した冷気で野菜室を冷却することで冷却効率を向上することができ、更に製氷室と冷凍室からの熱伝導による野菜室への冷却効果が生じ、野菜室を直接循環する冷気を減少させることができ、野菜室の湿度の低下を抑え、野菜の保鮮性を向上させることができる。
【発明を実施するための最良の形態】
【０００９】
請求項１に記載の発明は、冷蔵庫本体と、この本体の上下方向の全高で左右に分断された左区画の上部に冷蔵食品等を貯蔵する扉が引出し扉で構成された冷蔵スライド室と、前記冷蔵庫本体の左区画の下部に設けられた扉が引出し扉で構成された冷凍スライド室と、前記冷蔵スライド室と前記冷凍スライド室の間に設けられた扉が引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記冷蔵室背面に設置した第１の冷却器と、前記第１の冷却器によって冷却された冷気を前記冷蔵スライド室及び前記冷蔵室に導くための吐出風路及び冷蔵スライド室及び冷蔵室を冷却した冷気を第１の冷却器に戻すための戻り風路を設けた冷蔵室用ダクトと、前記冷凍室の奥に設置した第２の冷却器と、前記第２の冷却器によって冷却された冷気を前記製氷室及び前期冷凍スライド室及び前記冷凍室へ導く吐出風路及び前記製氷室及び前記冷凍スライド室及び前記冷凍室を冷却した冷気を第２の冷却器に戻すための戻り風路を設けた冷凍室用ダクトと、前記製氷室における前記冷凍室用ダクトの吐出風路から導かれた冷気の吐出風路口に冷気の吐出量を制御するダンパーを備え、前記第１の冷却器によって冷却される冷気を直接循環させることによって前記冷蔵スライド室及び前記冷蔵室を冷却し、前記第２の冷却器によって冷却される冷気を直接循環させることによって前記製氷室及び前記冷凍スライド室及び前記冷凍室を冷却し、前記冷凍室用ダクトを通過する前記製氷室を冷却した冷気によって前記野菜室を冷却することで、夏場に冷蔵室のドア開閉が増え冷蔵室に暖湿気が流入しても冷凍室を冷却する第２の冷却器は全く影響を受けないため冷凍室の冷凍能力を十分確保することができ、また、前記冷凍室用ダクトを通過する前記製氷室を冷却した冷気で野菜室を冷却することで冷却効率を向上することができ、更に製氷室と冷凍室からの熱伝導による野菜室への冷却効果が生じ、野菜室を直接循環する冷気を減少させることができ、野菜室の湿度の低下を抑え、野菜の保鮮性を向上させることができる。
【００１０】
請求項２に記載の発明は、請求項１に記載の発明において、前記野菜室天面にアルミプレートを設置したものであり、アルミプレートを冷凍室用ダクトを通過する製氷室を冷却した冷気によって冷却することで、アルミプレート下部の野菜を、直接冷気を循環させずに冷却し、湿度の低下を抑え、野菜類の保鮮性を向上させることができる。
【００１１】
請求項３に記載の発明は、請求項１に記載の発明において、前記野菜室天面に樹脂ダクトを設置したものであり、樹脂ダクトを冷凍室用ダクトを通過する製氷室を冷却した冷気によって冷却することで、樹脂ダクト下部の野菜を、直接冷気を循環させずに冷却し、湿度の低下を抑え、野菜類の保鮮性を向上させることができる。
【００１２】
請求項４に記載の発明は、請求項１に記載の発明において、前記野菜室に設けられた野菜収納ケースの上部に蓋を設置したものであり、蓋及び野菜収納ケースの周囲を冷凍室用ダクトを通過する製氷室を冷却した冷気によって冷却することで、蓋及び野菜収納ケース内の野菜を、直接冷気を循環させずに冷却し、湿度の低下を抑え、野菜類の保鮮性を向上させることができる。
【００１３】
請求項５に記載の発明は、請求項１から４のいずれか一項に記載の発明において、前記冷凍室用ダクトに前記第２の冷却器で冷却された冷気を前記野菜室へ導く吐出風路を設けたものであり、更に野菜室の冷却効率が高めることができ、野菜の鮮度を高めることができる。
【００１４】
以下、本発明の実施の形態について、図面を参照しながら説明する。なお、この実施の形態によってこの発明が限定されるものではない。
【００１５】
（実施の形態１）
図１は本発明の実施の形態１における冷蔵庫の正面図である。図２は本発明の実施の形態１における冷蔵庫の風路を示す正面図である。図３は本発明の実施の形態１における冷蔵庫の風路を示す断面図である。
【００１６】
図１において１７は冷蔵庫本体であり、冷蔵庫本体１７は、上下方向の全高で左右に分断された左区画１８と、右区画１９に区画されている。左区画１８は中央付近に製氷室２０が配置され、製氷室２０の上方には引出し扉で構成された冷蔵スライド室２１を、製氷室２０の下方には引出し扉で構成された冷凍スライド室２２が配置されている。
【００１７】
一方、右区画１９には、上から冷蔵室２３、野菜室２４、冷凍室２５が配置されていて、それぞれの部屋の前面開口は扉により塞がれている。なお、冷蔵スライド室２１と冷蔵室２３は上下方向の同一線上で区画されているが、冷蔵スライド室２１の高さと、冷蔵室２３の高さが違う、すなわち段差がつくよう構成されていても構わない。
【００１８】
図２、３において、２６は第１の仕切り壁であり、冷蔵スライド室２１及び冷蔵室２３と製氷室２０及び野菜室２４を仕切っている。２７は第２の仕切り壁であり、製氷室２０と冷凍スライド室２２を仕切っている。２８は第３の仕切り壁であり、野菜室２４と冷凍室２５を仕切っている。２９は第１の冷却器であり冷蔵室背面に設置される。３０は冷蔵室用ダクトであり、第１の冷却器２９によって冷却された冷気を冷蔵室２３及び冷蔵スライド室２１に導くための冷蔵室用吐出風路３０ａと冷蔵スライド室２１及び冷蔵室２３を冷却した冷気を第１の冷却器２９に戻すための冷蔵室用戻り風路３０ｂを有しており、第１の冷却器２９の前に設置される。３１は冷蔵室用冷却ファンであり第１の冷却器２９で発生した冷気を循環させる。３２は第２の冷却器であり、冷凍室２５の奥に設置される。３３は冷凍室用ダクトであり、第２の冷却器３２で冷却された冷気を製氷室２０及び冷凍スライド室２２及び冷凍室２５へ導く冷凍室用吐出風路３３ａと冷凍スライド室２２及び冷凍室２５を冷却した冷気を第２の冷却器３２に戻すための冷凍室用戻り風路３３ｂと製氷室２０を冷却した冷気を第２の冷却器３２に戻すための製氷室用戻り風路２４ｃを有しており、第２の冷却器３２の前に設置される。３４は冷凍室用冷却ファンであり、第２の冷却器３２で発生した冷気を循環させる。
【００１９】
以上のように構成された冷蔵庫について、以下その動作、作用について説明する。
【００２０】
使用頻度の高い冷蔵スライド室２１を冷蔵庫本体１７の上部に配置することで、従来冷蔵室２３の扉棚に収納されていたペットボトル、ビン類、牛乳パックなどの収納物を取り込むことができ、更に大量に収納することができるとともに、目線から若干した側に位置する重量物のペットボトルの出し入れ性を向上することができる。また、使用頻度の高い製氷室２０を冷蔵庫本体１７の中央付近に配置したことで、氷の取り出しを立ったままの楽な姿勢で行うことができる。下方に設置した冷凍スライド室２２も奥の収納物が引き出せて簡単に取り出せることができるように、使用頻度に応じて使い勝手の向上が図れるレイアウトを提供することが可能となる。
【００２１】
また、第１の冷却器２９によって冷却される冷気を直接循環させることによって冷蔵スライド室２１及び冷蔵室２３を冷却し、第２の冷却器３２によって冷却される冷気を直接循環させることによって製氷室２０及び冷凍スライド室２２及び冷凍室２５を冷却し、さらに製氷室用戻り風路３３ｃを通過する製氷室２０を冷却した冷気によって野菜室２４を冷却するようにしたことにより、夏場に冷蔵スライド室２１及び冷蔵室２３のドア開閉が増え、冷蔵スライド室２１及び冷蔵室２３に暖湿気が流入しても冷凍室２５を冷却する第２の冷却器３２は全く影響を受けないため冷凍室２５の冷凍能力を十分確保することができ、また、製氷室用戻り風路３３ｃを通過する製氷室２０を冷却した冷気で野菜室２４を冷却するようにしたことにより冷却効率を向上することができ、更に製氷室２０と冷凍室２５からの熱伝導による野菜室２４への冷却効果が生じ、野菜室２４を直接循環する冷気を減少させることができ、野菜室２４の湿度の低下を抑え、野菜の保鮮性を向上させることができる。
【００２２】
（実施の形態２）
図１は本発明の実施の形態２における冷蔵庫の正面図である。図２は本発明の実施の形態２における冷蔵庫の風路を示す正面図である。図４は本発明の実施の形態２における冷蔵庫の風路を示す断面図である。図１の説明は実施の形態１と同様であるため省略する。
【００２３】
図２、４において、第１の冷却器２９、冷蔵室用ダクト３０、冷蔵室用吐出風路３０ａ、冷蔵室用戻り風路３０ｂ、冷蔵室用冷却ファン３１、第２の冷却器３２、冷凍室用ダクト３３、冷凍室用吐出風路３３ａ、冷凍室用戻り風路３３ｂ、製氷室用戻り風路３３ｃ、冷凍室用冷却ファン３４は実施の形態１と同様であるため詳細な説明は省略する。３５はアルミプレートであり、製氷室用戻り風路３３ｃを通過する製氷室２０を冷却した冷気を受けている。
【００２４】
以上のように構成された冷蔵庫について、以下その動作、作用について説明する。
【００２５】
第１の冷却器２９によって冷却される冷気を直接循環させることによって冷蔵スライド室２１及び冷蔵室２３を冷却し、第２の冷却器３２によって冷却される冷気を直接循環させることによって製氷室２０及び冷凍スライド室２２及び冷凍室２５を冷却し、さらに製氷室用戻り風路３３ｃを通過する製氷室２０を冷却した冷気によって野菜室２４を冷却するようにしたことにより、夏場に冷蔵スライド室２１及び冷蔵室２３のドア開閉が増え、冷蔵スライド室２１及び冷蔵室２３に暖湿気が流入しても冷凍室２５を冷却する第２の冷却器３２は全く影響を受けないため冷凍室２５の冷凍能力を十分確保することができる。また、製氷室用戻り風路３３ｃを通過する製氷室２０を冷却した冷気を受けたアルミプレート３５によって野菜室２４を冷却するようにしたことにより、直接冷気を循環させずに冷却することができ、野菜室２４の湿度の低下を抑え、野菜の保鮮性を向上させることができる。
【００２６】
（実施の形態３）
図１は本発明の実施の形態３における冷蔵庫の正面図である。図２は本発明の実施の形態３における冷蔵庫の風路を示す正面図である。図５は本発明の実施の形態３における冷蔵庫の風路を示す断面図である。図１の説明は実施の形態１と同様であるため省略する。
【００２７】
図２、５において、第１の冷却器２９、冷蔵室用ダクト３０、冷蔵室用吐出風路３０ａ、冷蔵室用戻り風路３０ｂ、冷蔵室用冷却ファン３１、第２の冷却器３２、冷凍室用ダクト３３、冷凍室用吐出風路３３ａ、冷凍室用戻り風路３３ｂ、製氷室用戻り風路３３ｃ、冷凍室用冷却ファン３４は実施の形態１と同様であるため詳細な説明は省略する。３６は樹脂ダクトであり、製氷室用戻り風路３３ｃを通過する製氷室２０を冷却した冷気を受けている。
【００２８】
以上のように構成された冷蔵庫について、以下その動作、作用について説明する。
【００２９】
第１の冷却器２９によって冷却される冷気を直接循環させることによって冷蔵スライド室２１及び冷蔵室２３を冷却し、第２の冷却器３２によって冷却される冷気を直接循環させることによって製氷室２０及び冷凍スライド室２２及び冷凍室２５を冷却し、さらに製氷室用戻り風路３３ｃを通過する製氷室２０を冷却した冷気によって野菜室２４を冷却するようにしたことにより、夏場に冷蔵スライド室２１及び冷蔵室２３のドア開閉が増え、冷蔵スライド室２１及び冷蔵室２３に暖湿気が流入しても冷凍室２５を冷却する第２の冷却器３２は全く影響を受けないため冷凍室２５の冷凍能力を十分確保することができる。また、製氷室用戻り風路３３ｃを通過する製氷室２０を冷却した冷気を受けた樹脂ダクト３６によって野菜室２４を冷却するようにしたことにより、直接冷気を循環させずに冷却することができ、野菜室２４の湿度の低下を抑え、野菜の保鮮性を向上させることができる。
【００３０】
（実施の形態４）
図１は本発明の実施の形態４における冷蔵庫の正面図である。図２は本発明の実施の形態４における冷蔵庫の風路を示す正面図である。図６は本発明の実施の形態４における冷蔵庫の風路を示す断面図である。図１の説明は実施の形態１と同様であるため省略する。
【００３１】
図２、図６において、第１の冷却器２９、冷蔵室用ダクト３０、冷蔵室用吐出風路３０ａ、冷蔵室用戻り風路３０ｂ、冷蔵室用冷却ファン３１、第２の冷却器３２、冷凍室用ダクト３３、冷凍室用吐出風路３３ａ、冷凍室用戻り風路３３ｂ、製氷室用戻り風路３３ｃ、冷凍室用冷却ファン３４は実施の形態１と同様であるため詳細な説明は省略する。３７は野菜収納ケース、３８は野菜収納ケース３７の蓋であり、製氷室用戻り風路３３ｃを通過する製氷室２０を冷却した冷気を受けている。
【００３２】
以上のように構成された冷蔵庫について、以下その動作、作用について説明する。
【００３３】
第１の冷却器２９によって冷却される冷気を直接循環させることによって冷蔵スライド室２１及び冷蔵室２３を冷却し、第２の冷却器３２によって冷却される冷気を直接循環させることによって製氷室２０及び冷凍スライド室２２及び冷凍室２５を冷却し、さらに製氷室用戻り風路３３ｃを通過する製氷室２０を冷却した冷気によって野菜室２４を冷却するようにしたことにより、夏場に冷蔵スライド室２１及び冷蔵室２３のドア開閉が増え、冷蔵スライド室２１及び冷蔵室２３に暖湿気が流入しても冷凍室２５を冷却する第２の冷却器３２は全く影響を受けないため冷凍室２５の冷凍能力を十分確保することができる。また、製氷室用戻り風路３３ｃを通過する製氷室２０を冷却した冷気を受けた野菜収納ケース３１と野菜収納ケース３２の蓋によって野菜室２４を冷却するようにしたことにより、直接冷気を循環させずに冷却することができ、野菜室２４の湿度の低下を抑え、野菜の保鮮性を向上させることができる。
【００３４】
（実施の形態５）
図１は本発明の実施の形態５における冷蔵庫の正面図である。図７は本発明の実施の形態５における冷蔵庫の風路を示す正面図である。図３は本発明の実施の形態５における冷蔵庫の戻り風路を示す断面図である。図８は本発明の実施の形態５における冷蔵庫の吐出風路を示す断面図である。図１の説明は実施の形態１と同様であるため省略する。
【００３５】
図７、図３、図８において、第１の冷却器２９、冷蔵室用ダクト３０、冷蔵室用吐出風路３０ａ、冷蔵室用戻り風路３０ｂ、冷蔵室用冷却ファン３１、第２の冷却器３２、冷凍室用ダクト３３、冷凍室用吐出風路３３ａ、冷凍室用戻り風路３３ｂ、製氷室用戻り風路３３ｃ、冷凍室用冷却ファン３４は実施の形態１と同様であるため詳細な説明は省略する。
【００３６】
以上のように構成された冷蔵庫について、以下その動作、作用について説明する。
【００３７】
第１の冷却器２９によって冷却される冷気を直接循環させることによって冷蔵スライド室２１及び冷蔵室２３を冷却し、第２の冷却器３２によって冷却される冷気を直接循環させることによって製氷室２０及び冷凍スライド室２２及び冷凍室２５を冷却し、さらに製氷室用戻り風路３３ｃを通過する製氷室２０を冷却した冷気によって野菜室２４を冷却するようにしたことにより、夏場に冷蔵スライド室２１及び冷蔵室２３のドア開閉が増え、冷蔵スライド室２１及び冷蔵室２３に暖湿気が流入しても冷凍室２５を冷却する第２の冷却器３２は全く影響を受けないため冷凍室２５の冷凍能力を十分確保することができる。また、製氷室用戻り風路３３ｃを通過する製氷室２０を冷却した冷気と第２の冷却器３２によって冷却される冷気の両方によって野菜室２４を冷却しているので、更に野菜室の冷却効率が高めることができ、野菜の鮮度を高めることができる。
【産業上の利用可能性】
【００３８】
以上のように、本発明にかかる冷蔵庫は、第１の冷却器で冷蔵スライド室及び冷蔵室を冷却し、第２の冷却器で冷蔵スライド室及び冷蔵室以外の製氷室及び冷凍スライド室及び冷凍室を冷却し、製氷室用戻り風路を通過する製氷室を冷却した冷気で野菜室を冷却しているので、夏場に冷蔵室のドア開閉が増え冷蔵室に暖湿気が流入しても冷凍室を冷却する第２の冷却器は全く影響を受けず、冷凍室の冷凍能力を十分確保することができ、また、冷却効率を向上し、野菜室の湿度の低下を抑え、野菜の保鮮性を向上させることが可能となるので冷凍機器全般の冷却方法の用途にも適用できる。
【図面の簡単な説明】
【００３９】
【図１】本発明の実施の形態１における冷蔵庫の正面図
【図２】本発明の実施の形態１における冷蔵庫の風路を示す正面図
【図３】本発明の実施の形態１における冷蔵庫の風路を示す断面図
【図４】本発明の実施の形態２における冷蔵庫の風路を示す断面図
【図５】本発明の実施の形態３における冷蔵庫の風路を示す断面図
【図６】本発明の実施の形態４における冷蔵庫の風路を示す断面図
【図７】本発明の実施の形態５における冷蔵庫の風路を示す正面図
【図８】本発明の実施の形態５における冷蔵庫の風路を示す断面図
【図９】従来の冷蔵庫の風路を示す正面図
【符号の説明】
【００４０】
１７  冷蔵庫本体
１８  左区画
１９  右区画
２０  製氷室
２１  冷蔵スライド室
２２  冷凍スライド室
２３  冷蔵室
２４  野菜室
２５  冷凍室
２６  第１の仕切り壁
２７  第２の仕切り壁
２８  第３の仕切り壁
２９  第１の冷却器
３０  冷蔵室用ダクト
３０ａ  冷蔵室用吐出風路
３０ｂ  冷蔵室用戻り風路
３１  冷蔵室用冷却ファン
３２  第２の冷却器
３３  冷凍室用ダクト
３３ａ  冷凍室用吐出風路
３３ｂ  冷凍室用戻り風路
３３ｃ  製氷室用戻り風路
３４  冷凍室用冷却ファン
３５  アルミプレート
３６  樹脂ダクト
３７  野菜収納ケース
３８  蓋
【図１】
2006242465.tif 000003
【図２】
2006242465.tif 000004
【図３】
2006242465.tif 000005
【図４】
2006242465.tif 000006
【図５】
2006242465.tif 000007
【図６】
2006242465.tif 000008
【図７】
2006242465.tif 000009
【図８】
2006242465.tif 000010
【図９】
2006242465.tif 000011